(57)【要約】      （修正有）【課題】糊付けされて巻き付けられる粘着テープを、剥がし易くするとともに２枚捲りを防止できる粘着テープロールを提供する。【解決手段】粘着テープロールは、巻芯に長尺状の粘着テープ１２が巻き付けられることによって形成する。１枚毎に区画されて巻き付けられた粘着テープ１２Ａ，１２Ｂの先端部を山形状に形成するとともに、最先端部を台形状に形成する。最先端部１２２の先端上辺側の一方の端部に糊無部１２４を形成し、他方の端部に切欠部１２５を形成する。糊無部１２４と切欠部１２５とは、重ね合わされた上下の粘着テープに対して、重なるように、粘着テープの角部に交互に形成する。また、最先端部１２２は、上下に重なりあう粘着テープに対して異なる色で着色される。【選択図】図４
0003188476.tif 000002
【実用新案登録請求の範囲】
【請求項１】
円筒状の巻芯に、表面側が糊付けされて１巻き毎に剥離可能に区画形成された粘着テープが連続的に巻き付けられた粘着テープロールであって、
１巻き毎に区画された前記粘着テープの捲り始めのスタート先端部には、糊付けされない糊無部が形成されていることを特徴とする粘着テープロール。
【請求項２】
前記糊無部は、前記粘着テープの上下に重なり合う区画された粘着テープに対して、前記粘着テープの前記スタート先端部の幅方向における中心線に対して左右対称位置に形成されて、前記糊無部同士が上下間で重ならない位置に形成されていることを特徴とする請求項１に記載の粘着テープロール。
【請求項３】
前記粘着テープの上下に重なり合う区画された粘着テープに対して、前記糊無部と対応する部位には切欠部が形成され、重ね合わされた上下の粘着テープに対して、前記糊無部と前記切欠部とは、重なるように、前記粘着テープのスタート先端部の角部に交互に形成されていることを特徴とする請求項１又は２記載の粘着テープロール。
【請求項４】
区画毎に形成された前記粘着テープの前記スタート先端部は、後方の全幅部位から徐々に狭められた山形状に形成されていることを特徴とする請求項１乃至３のいずれかに記載の粘着テープロール。
【請求項５】
前記粘着テープの前記スタート先端部には、上下に重なり合う前記粘着テープに対してそれぞれ異なる色の着色部又は異なる印部が形成されていることを特徴とする請求項１乃至４のいずれかに記載の粘着テープロール。
【請求項６】
巻き始めから所定枚数までの前記粘着テープには、少残量を示す表示がなされていることを特徴とする請求項１乃至５のいずれかに記載の粘着テープロール。
【考案の詳細な説明】
【技術分野】
【０００１】
本考案は、カーペットクリーナーに装着して使用済みの粘着テープを1枚毎に剥離して新たな粘着テープに交換できる粘着テープロールに関する。
【背景技術】
【０００２】
従来、粘着テープがロール状に巻き付けられて、例えば、犬・猫等の毛あるいはカーペットに付着された細かなごみを付着させて１枚毎に剥離できる粘着テープローラが提供されていた。この粘着テープローラがカーペットクリーナー用として、１枚毎の粘着テープを剥離し易いように形成したものが、特許文献１に開示されている。つまり、これによると、円筒状巻芯に多重に巻き付けられた粘着テープの剥離方向の先端面を山形状に形成するとともに、先端面を指先で把持できる程度の連続部を残してテープ面の全幅にわたり且つ巻芯の表面に至る切込みを刻設している。従って、カーペットや床に粘着テープローラを前後方向に回転させることによって、犬や猫の毛、又は細かなごみが付着する。付着した粘着テープ部分を、刻設された部位から指先で把持して引っ張れば、粘着テープを剥離することができる。
【先行技術文献】
【特許文献】
【０００３】
【特許文献１】特開平０７−２３６６０８号公報
【考案の概要】
【考案が解決しようとする課題】
【０００４】
しかし、特許文献１における粘着テープは、テープの厚みは薄く表面全面にわたって付着面として形成されているから、テープ面の全幅にわたって切込みが刻設されていても、貼り付けられた２枚の粘着テープ間に指（又は、爪先であっても）を入れることは簡単にはできず、２枚捲りをしてしまうおそれがあった。
【課題を解決するための手段】
【０００５】
本考案は、上記の課題を改良するものであり、２枚捲りを防止して簡単に１枚の粘着テープを剥離することができる粘着テープロールを提供するものである。すなわち、
請求項１記載の考案は、円筒状の巻芯に、表面側が糊付けされて１巻き毎に剥離可能に区画形成された粘着テープが連続的に巻き付けられた粘着テープロールであって、１巻き毎に区画された前記粘着テープの捲り始めのスタート先端部には、糊付けされない糊無部が形成されていることを特徴とするものである。
【０００６】
これによれば、粘着テープロールにおいて、巻き付けられた粘着テープは、上下方向に重なり合う粘着テープ間に糊無部が形成されていることから、糊付けされていない糊無部を指先で把持することが容易となる。そのため、把持した糊無部を捲ることによって、区画された１枚ごとの粘着テープを容易に剥離することができる。
【０００７】
請求項２記載の考案は、請求項１の考案に係るものであって、前記糊無部は、前記粘着テープの上下に重なり合う区画された粘着テープに対して、前記粘着テープの前記スタート先端部の幅方向における中心線に対して左右対称位置に形成されて、前記糊無部同士が上下間で重ならない位置に形成されていることを特徴としている。
【０００８】
これによれば、糊無部は、巻き付けられた上下方向の重なり合う粘着テープに対して、重ならない位置にあることから、１枚の粘着テープを捲り易くできるとともに使用されていない次の粘着テープを重ねて捲ることがない。また、巻き付けられた粘着テープは幅方向の厚みが均等となって一部が膨らむということがない。
【０００９】
請求項３記載の考案は、請求項１又は２の考案に係るものであって、前記粘着テープの上下に重なり合う区画された粘着テープに対して、前記糊無部と対応する部位には切欠部が形成され、重ね合わされた上下の粘着テープに対して、前記糊無部と前記切欠部とは、重なるように、前記粘着テープのスタート先端部の角部に交互に形成されていることを特徴としている。
【００１０】
これによれば、上下に重なり合う粘着テープ間では、糊無部と切欠部とが重なるように交互に形成されているから糊部同士が重なることがなく、指先で糊無部を把持させることができ、２枚捲りを防止して１枚の区画された粘着テープを容易に捲ることができる。
【００１１】
請求項４記載の考案は、請求項１又は３のいずれかに記載の考案に係る考案であって、区画毎に形成された前記粘着テープの前記スタート先端部は、後方の全幅部位から徐々に狭められた山形状に形成されていることを特徴としている。
【００１２】
これによれば、粘着テープの捲り始めのスタート先端部は、粘着テープの幅方向に対して山形状に狭められているから、糊無部を探し易く、また、１枚毎の粘着テープを捲る際にも途中で破れにくく、区画された１枚の粘着テープを確実に剥離することができる。
【００１３】
請求項５記載の考案は、請求項１乃至４のいずれかに記載の考案に係るものであって、前記粘着テープの前記スタート先端部には、上下に重なり合う前記粘着テープに対してそれぞれ異なる色の着色部又は異なる印部が形成されていることを特徴としている。
【００１４】
これによれば、巻き付けられて区画された粘着テープの先端部が、上下に重なる粘着テープに対して、異なる色の着色部が形成されているか、あるいは、異なる印部が形成されているから、糊無部を即座に確認できるとともに、粘着テープの１枚分を明確に確認でき、捲り取られる粘着テープの２枚捲りを防止できる。
【００１５】
請求項６記載の考案は、請求項１乃至５のいずれかに記載の考案に係るものであって、前記粘着テープには、少残量を示す表示がなされていることを特徴としている。
【００１６】
これによれば、この表示が、例えば、赤い線が引かれていたり、目立つ表示であったりすれば、残量が少なくなったことを確認できることから、予め、新たな粘着シートを用意しておくことができる。
【図面の簡単な説明】
【００１７】
【図１】本考案の一実施形態によるカーペットクリーナーの全体斜視図である。
【図２】図１における粘着テープロールの斜視図である。
【図３】図２における粘着テープの先端部を示す拡大図である。
【図４】図２における粘着テープロールのスタート先端部の展開した状態を示す斜視図である。
【図５】最先端部の着色部に変わる別の表示を示す平面図である。
【図６】残量の少ない粘着テープロールに少残量の表示を示す斜視図である。
【図７】残量の少ない粘着テープロールにおける粘着テープの先端部の別の形態を示す斜視図である。
【図８】粘着テープの先端部の別の形態を示す拡大図である。
【考案を実施するための形態】
【００１８】
本考案における一実施形態の粘着テープロールを図面に基づいて説明する。図１は、粘着テープロール１０を取り付けたカーペットクリーナー１の全体斜視図を示すものであり、粘着テープロール１０は、手持ち部３に連結する連結棒２の先端に取り付けられている。
【００１９】
図２に示すように、粘着テープロール１０は、円筒状の巻芯１１に長尺状の粘着テープ１２をロール状に巻きつけて形成されている。粘着テープ１２は紙で形成されており、巻き付けられた粘着テープ１２の表面側が糊付けされている。粘着テープ１２は、巻芯１１に巻き付けられる１周分に区画されて、切離し可能に形成されている。この切離しは、糊付け面を表側にして所定回数巻き付けて１個分の粘着テープロール１０を形成した後に所定位置に巻芯の表面まで切込みを入れるか、あるいは巻き付ける際に、所定位置にミシン目を入れるかにより可能とされている。実施形態としては、後者で行なうものである。区画された粘着テープ１２の長さは、巻芯１１に巻き付けていくに従って、大径となるから、巻き付け始めより徐々にピッチを大きくすることになる。
【００２０】
図３（ａ）に示すように、区画された１枚の粘着テープ１２Ａのスタート先端部（つまり巻き付けられた状態での捲り始めのスタート先端部）１２１は、先端部より後方に位置する全幅部Ｈ（図４参照）から徐々に幅狭となるように内側に傾斜された紙切断ライン１２１ａ、１２１ｂを有して山形状に形成されている。さらに詳細に説明すれば、このスタート先端部１２１の最先端部１２２は、先端縁１２３から後方に向かう所定の僅かな長さＬの間で台形状に形成されている。最先端部１２２の表面は、粘着テープ１２Ａの他の部分とは異なる色で着色された着色部とされている。なお、粘着テープ１２Ａの最先端部１２２以外の部分は白色（着色なし）である。
【００２１】
台形状に形成された最先端部１２２の先端縁（上辺）１２３の一方の頂点Ｐ１は、スタート先端部１２１の紙切断ライン１２１ａ上にあり、他方の頂点Ｐ２は、粘着テープ１２の幅方向の略中心位置に設定される。頂点Ｐ２と最先端部１２２の下辺における頂点Ｐ１と反対側の一方の頂点Ｐ３を結ぶ紙切断ライン１２２ａは、最先端部１２２の紙切断ライン１２１ｂからさらに内側に傾斜される線として形成されている。また、台形状の最先端部１２２の頂点Ｐ１、Ｐ２と最先端部１２２の一方の紙切断ライン１２１ａにおける約半分の高さ位置にある中間点Ｐ４とを結ぶ三角形の範囲には、糊を表面に塗布しない糊無部１２４を形成する。なお、粘着テープ１２Ａの幅方向の中心線に対する頂点Ｐ１の対称となる仮想点と前述の紙切断ライン１２２ａを結んで形成される仮想三角形を切欠部１２５とする。
【００２２】
図３（ｂ）に示すように、巻き付けられた粘着テープロール１０の区画された１枚目の粘着テープ１２Ａの下側に巻き付けられた２枚目の粘着テープ１２Ｂは、最先端部１２２の形状が、上述の１枚目の粘着テープ１２Ａにおける頂点Ｐ２を通る幅方向における中心線に対して左右対称に形成されている。つまり、２枚目の粘着テープ１２Ｂの最先端部１２２に形成された糊無部１２４と切欠部１２５との位置は、１枚目の粘着テープ１２Ａの位置とは粘着テープ１２の左右方向に対してそれぞれ反対側に形成されることになる。従って、図４に示すように、１枚目の粘着テープ１２Ａの糊無部１２４に対向する部位において、２枚目の粘着テープ１２Ｂには、切欠部１２５が形成されているから、糊無部１２４は、重なり合う粘着テープ１２間では、裏面においても糊付け部分が重なり合うことはない。粘着テープ１２Ａ、１２Ｂと同様の粘着テープ１２を交互に巻き付け、以下、順次形成することによって、粘着テープロール１０が形成されることになる。
【００２３】
従って、巻き付けられた粘着テープロール１０は、糊無部１２４と切欠部１２５とが重なることによって、糊無部１２４を容易に把持することができるとともに、糊無部１２４同士が重なることによって生じる盛り上がりをなくすことができ、均一な厚さを維持することができる。それにより、１枚毎に容易に捲りとることができて２枚捲りを防止することができる。
【００２４】
また、着色された最先端部１２２は、最先端部１２２以外の着色されていない部分に対して瞬時に識別できるから捲る位置を即座に探すことができる。さらに、最先端部１２２は、区画された粘着テープ１２の巻き付けられた上下に重なり合う粘着テープ１２間で異なる色に形成されている。そのため、捲る粘着テープ１２を色で確認することができることから、やはり、２枚捲りを防止することができる。
【００２５】
なお、糊無部１２４を明確にする手段は、最先端部１２２を着色するものでなくても、何らかの目立つ表示、例えば、図５（ａ）、（ｂ）に示すように、最先端部１２２に○印１６や×印１７を形成したり、また、シールを貼り付けたりするようにしてもよい。
【００２６】
残量が少なくなった粘着テープ１２には、巻き始め位置から所定枚数まで、例えば、残り５枚目以降の粘着テープ１２には、図６に示すように、粘着テープ１２の中心線上に最先端部１２２から後方の所定位置に向かって赤線１５が引かれている。また、残りの枚数が、例えば、５枚目であれば赤線１５の付近に「last-5」、4枚目になれば「last-4」と順に「last-3」…を表示すれば、さらにわかりやすくなる。この赤線１５を確認することによって、少残量を確認できるから、次に使用する粘着テープロール１０を交換する準備をしておくことができる。この表示は、赤線１５ではなく、例えば、図７に示すように複数の黒点１８を直線状に並べて形成してもよい。この場合においても、図６のように、残りの枚数を示す「last」表示をする。いずれにしても、少残量を示す何らかの表示が形成されていればよい。
【００２７】
次に上記のように構成された粘着テープロール１０の使用状態を説明する。
【００２８】
新品の粘着テープロール１０を取り付けたカーペットクリーナー１でカーペット等を清掃する場合、カーペットクリーナー１を押したり引いたりすると、粘着テープロール１０が巻芯１１の軸心を中心に回転され、表面に塗布された糊部で細かいごみが付着される。巻き付けられた粘着テープロール１０の最外周面に現れている１枚目の粘着テープ１２Ａに犬や猫の毛あるいは細かなごみが一面に付着されると、１枚捲って新たな２枚目の粘着テープ１２Ｂを表面側に現す。
【００２９】
１枚目の粘着テープ１２ａを捲って剥離する際、着色された最先端部１２２を確認する。糊無部１２４は、最先端部１２２の傾斜されていない側の角部にあるから、角部に指先を持っていき、糊無部１２４を把持する。糊無部１２４の下面側には、２枚目の粘着テープ１２の対向する部位に切欠部１２５が形成されているから、１枚目だけの粘着テープ１２だけを把持することができ、２枚捲りを防止することができる。糊無部１２４を捲って１枚の粘着テープ１２Ａを剥離する際、粘着テープ１２Ａのスタート先端部１２１は山形状に形成されていることから、粘着テープ１２Ａは、幅方向に狭められた最先端部１２２から徐々に広がって剥がれることになる。従って、途中で紙が破れるおそれは少ない。１枚目の粘着テープ１２Ａを取り除くことによって、ごみが付着されていない新たな２枚目の粘着テープ１２Ｂが表面に現れる。そして、新たにごみを付着させる。ごみが付着された粘着テープ１２は、上述と同様に剥離されて、さらに新たな粘着テープ１２を表面側に現すことになる。
【００３０】
なお、本考案は上述の実施形態に限定するものではない。例えば、図８に示すように、粘着テープ１２のスタート先端部１２１を山形状に形成するのではなく、全幅部で形成するものであってもよい。この場合、一方の先端角部１９に糊無部１９１を形成し、他方の角部２０に糊無部１９１と同様の大きさで切欠部２０１を形成する。そして、上下に重なり合う粘着テープ１２の左右交互に糊無部１９１と切欠部２０１を形成すれば、糊無部１９１は、上下に重なり合う粘着テープ間で上下に重なることなく巻き取ることができ、粘着テープロール１０を形成することができる。
【符号の説明】
【００３１】
１０、粘着テープロール
１２、粘着テープ
１２１、スタート先端部
１２２、最先端部
１２４、糊無部
【図１】
0003188476.tif 000003
【図２】
0003188476.tif 000004
【図３】
0003188476.tif 000005
【図４】
0003188476.tif 000006
【図５】
0003188476.tif 000007
【図６】
0003188476.tif 000008
【図７】
0003188476.tif 000009
【図８】
0003188476.tif 000010